(57)【要約】    【課題】      個々の登録ユーザーに合わせてパネル部に表示する画面の言語形式、表示ポイント数等の出力形式を柔軟に切り替えること。    【解決手段】  コピー機能を含む複数の機能を搭載した複合機１００において、各種操作を行うための操作画面を表示する大型タッチパネル１１６に表示する操作画面の表示形式を、検出エリア内に入ったユーザーが携帯したメモリカード２００から読み取った認識情報に基づいて認証したユーザーについての出力形式情報にしたがってパネル制御部１１５で切り替える。  【選択図】      図１
2005244489.tif 000002
【特許請求の範囲】
【請求項１】
コピー機能を含む複数の機能を搭載した複合機であって、各種操作を行うための操作画面を表示するパネル部と、検出エリア内に入ったユーザーが携帯したメモリカードに対して電磁波信号を送信しユーザーの認識情報を読み取る情報読取手段と、前記メモリカードから読み取った認識情報に基づいて認証したユーザーに関して予め設定した出力形式情報が格納される記憶部と、この記憶部から取り出した出力形式情報にしたがって前記パネル部に表示する操作画面の表示形式を切り替える表示制御手段と、を具備した複合機。
【請求項２】
前記出力形式情報は操作画面に表示する言語の表現形式を含み、前記表示制御手段は出力形式情報に含まれた言語の表現形式に応じて表示言語を切り替えることを特徴とする請求項１記載の複合機。
【請求項３】
前記出力形式情報は操作画面に表示する言語の表示ポイント数を含み、前記表示制御手段は出力形式情報に含まれた表示ポイント数に応じて表示ポイント数を切り替えることを特徴とする請求項１記載の複合機。
【請求項４】
音声出力するスピーカーと、前記スピーカーから音声ガイダンスを出力させる音声制御手段とを具備し、前記出力形式情報は音声ガイダンスの言語形式を含み、前記音声制御手段は出力形式情報に含まれた言語形式に応じて音声言語を切り替えることを特徴とする請求項１記載の複合機。
【請求項５】
ユーザーの認識情報及び出力形式情報を含む個人情報が登録された個人情報テーブルをネットワーク経由で接続したサーバー上に保持し、前記メモリカードから読み取った認識情報に対応したユーザーの出力形式情報を前記サーバーから読み込んで前記記憶部へ記憶することを特徴とする請求項１記載の複合機。
【請求項６】
登録ユーザー毎に認識情報及び出力形式情報を含む個人情報が登録された個人情報テーブルを記憶した記憶装置を備え、前記メモリカードから読み取った認識情報に対応したユーザーの出力形式情報を前記記憶装置から読み込んで前記記憶部へ記憶することを特徴とする請求項１記載の複合機。
【発明の詳細な説明】
【技術分野】
【０００１】
本発明は、操作画面を表示するパネル部を備える複合機に関する。
【背景技術】
【０００２】
プリンタ、コピー、スキャナ−、ＦＡＸ、電子メール等の機能を１台の装置に集約化した複合機が知られている。最近の複合機は多機能化に伴い大型のタッチパネルを備え、タッチパネルに表示する操作画面にてユーザーに対し様々な情報を提示するようになっている（例えば、特許文献１参照）。また、タッチパネルを介したオペレーションを補助するために音声ガイダンスを出力するように構成したものもある。
【特許文献１】特開２００２−７２６４号公報
【発明の開示】
【発明が解決しようとする課題】
【０００３】
しかしながら、複合機のパネルに表示する文字の言語形式は出荷地域に合わせて予め決められた固定のものとなっている。また、複合機のパネルに表示する文字のポイント数は機種毎に予め決められた固定のポイント数を使用している。このため、使用言語の異なるユーザーが同じ複合機を使用する場合、複合機の設定言語と異なる言語を使用するユーザーは不慣れな言語を読み取らなければならないこととなる。また、視力又は色覚等の異なるユーザーであっても共通の固定文字ポイントの表示文字を読まなければならなかった。
【０００４】
本発明は、以上のような実情に鑑みてなされたものであり、個々の登録ユーザーに合わせてパネル部に表示する画面の言語形式、表示ポイント数等の出力形式を柔軟に切り替えることができる複合機を提供することを目的とする。
【課題を解決するための手段】
【０００５】
本発明は、コピー機能を含む複数の機能を搭載した複合機において、各種操作を行うための操作画面を表示するパネル部に表示する操作画面の表示形式を、検出エリア内に入ったユーザーが携帯したメモリカードから読み取った認識情報に基づいて認証したユーザーに関して予め設定した出力形式情報にしたがって切り替えるようにしたものである。
【発明の効果】
【０００６】
本発明に係る複合機によれば、個々の登録ユーザーに合わせてパネル部に表示する画面の言語形式、表示ポイント数等の出力形式を柔軟に切り替えることができる。
【発明を実施するための最良の形態】
【０００７】
本発明の第１の態様に係る複合機は、コピー機能を含む複数の機能を搭載した複合機であって、各種操作を行うための操作画面を表示するパネル部と、検出エリア内に入ったユーザーが携帯したメモリカードに対して電磁波信号を送信しユーザーの認識情報を読み取る情報読取手段と、前記メモリカードから読み取った認識情報に基づいて認証したユーザーに関して予め設定した出力形式情報が格納される記憶部と、この記憶部から取り出した出力形式情報にしたがって前記パネル部に表示する操作画面の表示形式を切り替える表示制御手段と、を具備する構成を採る。
【０００８】
この構成によれば、メモリカードから読み取った認識情報に基づいて認証したユーザーについて予め設定された出力形式情報にしたがってパネル部に表示する操作画面の表示形式を切り替える。これにより、個々の登録ユーザーに合わせてパネル部に表示する画面の言語形式、表示ポイント数等の出力形式を柔軟に切り替えることができる。
【０００９】
本発明の第２の態様は、第１の態様に係る複合機において、前記出力形式情報は操作画面に表示する言語の表現形式を含み、前記表示制御手段は出力形式情報に含まれた言語の表現形式に応じて表示言語を切り替える構成を採る。
【００１０】
この構成によれば、出力形式情報に含まれた言語の表現形式に応じて表示言語を切り替えるので、個々の登録ユーザーに合わせて表示言語を柔軟に切り替えることができる。
【００１１】
本発明の第３の態様は、第１の態様に係る複合機において、前記出力形式情報は操作画面に表示する言語の表示ポイント数を含み、前記表示制御手段は出力形式情報に含まれた表示ポイント数に応じて表示ポイント数を切り替える構成を採る。
【００１２】
この構成によれば、出力形式情報に含まれた表示ポイント数に応じて表示ポイント数を切り替えるので、個々の登録ユーザーに合わせて表示ポイント数を柔軟に切り替えることができる。
【００１３】
本発明の第４の態様は、第１の態様に係る複合機において、音声出力するスピーカーと、前記スピーカーから音声ガイダンスを出力させる音声制御手段とを具備し、前記出力形式情報は音声ガイダンスの言語形式を含み、前記音声制御手段は出力形式情報に含まれた言語形式に応じて音声言語を切り替える構成を採る。
【００１４】
この構成によれば、出力形式情報に含まれた言語形式に応じて音声言語を切り替えるので、個々の登録ユーザーに合わせてスピーカーから出力される音声ガイダンスの音声言語を柔軟に切り替えることができる。
【００１５】
本発明の第５の態様は、第１の態様に係る複合機において、ユーザーの認識情報及び出力形式情報を含む個人情報が登録された個人情報テーブルをネットワーク経由で接続したサーバー上に保持し、前記メモリカードから読み取った認識情報に対応したユーザーの出力形式情報を前記サーバーから読み込んで前記記憶部へ記憶する構成を採る。
【００１６】
この構成によれば、個人情報が登録された個人情報テーブルをサーバー上に保持し、メモリカードから読み取った認識情報に対応したユーザーの出力形式情報をサーバーから読み込む。これによれば、本複合機上に個人情報テーブルを登録しておく必要がないので、大容量のメモリを用意することなくパネル部の表示を柔軟に切り替えることができる。
【００１７】
本発明の第６の態様は、第１の態様に係る複合機において、登録ユーザー毎に認識情報及び出力形式情報を含む個人情報が登録された個人情報テーブルを記憶した記憶装置を備え、前記メモリカードから読み取った認識情報に対応したユーザーの出力形式情報を前記記憶装置から読み込んで前記記憶部へ記憶する構成を採る。
【００１８】
この構成によれば、個人情報が登録された個人情報テーブルを記憶した記憶装置を備え、メモリカードから読み取った認識情報に対応したユーザーの出力形式情報を記憶装置から読み込む。これによれば、装置本体のみによりパネル部の表示を柔軟に切り替えることができる。
【００１９】
図１は、本実施の形態に係る複合機１００の機能ブロック図である。同図には、ネットワークの一部も図示している。複合機１００は、ＬＡＮ１０１を経由して各種のサーバー１０２及びクライアントＰＣ１０３に接続可能である。サーバー１０２としては、個人情報テーブルを保持して個人認証及び個人情報の配信を行う個人情報用サーバー、メニューから選択したジョブをリモートプロシージャ方式で実行するＷＥＢサーバー等が含まれる。また、複合機１００は、プリンタ機能、コピー機能、スキャナ機能、ＦＡＸ機能、電子メール機能を搭載しているが、図１にはプリンタ機能及びＦＡＸ機能に関するブロックだけを示している。
【００２０】
複合機全体制御部１１０は、複合機１００の全体の制御を行う部分である。プリンタ制御部１１１は、クライアントから与えられる印刷データを所定形式の画像データに変換する処理を実行する部分であり、特に画像形成ユニット（不図示）のヒーター部（定着装置）１１２にウォームアップ開始指示を与え、またカセット制御部１１３にカセット選択の指示を与える。カセット制御部１１３は、複数段装備したカセット（１）から（ｎ）の中から指示されたカセットを選択して画像形成ユニットへ給紙する。ＦＡＸ制御部１１４は、ＰＳＴＮに接続されファクシミリ通信のための手順を実行するモデムを有する。
【００２１】
パネル制御部１１５は、大型タッチパネル１１６に操作画面等を表示させると共に、大型タッチパネル１１６のタッチ位置及び表示内容からユーザーの入力した操作内容を解釈する。また、後述する作業用ワークに格納される個人情報テーブルデータの内容にしたがって大型タッチパネル１１６に表示する操作画面の表示形式を切り替える。例えば、操作画面上の言語の表現形式及び表示ポイント数を切り替える。大型タッチパネル１１６は、カラーによる画面表示が可能となっている。
【００２２】
ＲＦＩＤ制御部１１７は、メモリカード２００に対して電磁波信号にてデータを読み書きする機能を有する。ＲＦＩＤ制御部１１７からメモリカード２００に対して磁界を印加した場合、その時の戻り磁界にはメモリカード２００の記憶内容に応じた影響（情報）が含まれる。ＲＦＩＤ制御部１１７は、戻り磁界からメモリカード２００の記憶内容を検出する。逆に、ＲＦＩＤ制御部１１７からメモリカード２００に印加する電磁波信号でメモリカード２００に電磁的な変化を及ぼすことで情報の書き込みを行う。ＲＦＩＤ制御部１１７は、半径１ｍ程度の検出エリア内にあるメモリカード２００に対して、カード登録データの読み取り／カードへの書き込みを、電磁波信号を介して非接触で行う。
【００２３】
個人情報制御部１１８は、メモリカード２００から読み込んだ登録データの書き込み先の管理を行う。また、個人情報制御部１１８は、ＲＦＩＤ制御部１１７に対してメモリカード２００に書き込むデータを通知する部分である。ネットワークＩ／Ｆ部１１９は、ＬＡＮ１０１とのインターフェース部分である。個人情報用サーバーＩ／Ｆ部１２０は、ＬＡＮ１０１上のサーバー１０２のうち個人情報用サーバーと通信するための処理を実行する。作業用ワーク１２１は、メモリカード２００及び個人情報用サーバーから受信したデータを格納する記憶部として機能する。ジョブ制御部１２２は、コピー機能、プリンタ機能、ＦＡＸ機能、スキャナ機能、電子メール機能といった各機能が提供する各ジョブを実行する際に該当する各部に指示を出す部分である。
【００２４】
音声制御部１２３は、音声ガイダンスのための音声データを保持している。音声制御部１２３は、パネル制御部１１５及びジョブ制御部１２２からユーザーのオペレーションに同期して音声ガイダンスの指示が与えられると、該当する音声データをスピーカー１２４へ出力する。また、後述する作業用ワークに格納される個人情報テーブルデータの内容にしたがってスピーカー１２４に出力する音声ガイダンスを切り替える。音声ガイダンスは、大型タッチパネル１１６に表示される操作画面に対するオペレーションを補助するための音声であることが望ましいが、その他の内容であっても良い。
【００２５】
パネル角度位置センサ１２５は、大型タッチパネル１１６の角度を検出し、パネル角度駆動モータ１２６はパネル制御部１１５からの制御信号を受けて大型タッチパネル１１６の角度を調整する。なお、本実施の形態では大型タッチパネル１１６の角度を調整可能にしているが固定した構成であっても良い。
【００２６】
図２は、メモリカード２００の登録情報を示す図である。
【００２７】
同図に示すように、メモリカード２００には個人の認識情報としてユーザーＩＤだけを記憶している。メモリカード２００の登録情報をユーザーＩＤに限定し、その他の個人情報を記憶しないことはセキュリティの面から好ましいが、その他の個人情報又はグループ情報を記憶しても良い。
【００２８】
図３は、サーバー１０２としての個人情報用サーバーに登録している個人情報テーブルのデータ構造を示す図である。
【００２９】
登録ユーザー毎に個人情報テーブルが存在している。同図に示すように、個人情報テーブルは、個人の認識情報となるユーザーＩＤ、所属部門等の個人情報、本登録ユーザー用に対応付けられた言語情報テーブル、表示文字ポイント数情報テーブル、音声ガイダンス情報テーブル及び色調情報テーブルを含む。言語情報テーブルは、大型タッチパネル１１６上に表示される表示（文字）言語及びスピーカー１２４から出力される音声（ガイダンス）言語から成る。表示文字ポイント数情報テーブルには大型タッチパネル１１６上に表示される文字のポイント数が登録される。音声ガイダンス情報テーブルには音声ガイダンスの出力の有無が登録される。色調情報テーブルには白内障のユーザーのために色調を変化させる必要がある場合に色調変化のさせ方が登録される。
【００３０】
図４は、特定のユーザー向けに適用された個人情報テーブルの構成例を示す図である。ここでは、「松下太郎」向けに適用された例について示している。
【００３１】
同図に示すように、個人情報に、名称として「松下太郎」が登録され、所属部門として「開発部」が登録され、ＩＤコードとして「１２３４５６」が登録されている。また、表示文字言語として「日本語」が登録され、音声ガイダンス言語として「日本語」が登録されている。さらに、表示文字ポイント数情報テーブルから「標準」のポイントが選択されている。さらに音声ガイダンス情報テーブルから「音声ガイダンス有り」が選択されている。色調情報テーブルから「白内障対応」及び「色弱対応」が選択されている。すなわち、登録ユーザー「松下太郎」が本複合機１００で作業をする場合には、大型タッチパネル１１６に標準ポイントの日本語表示が行われ、その表示は白内障等に対応して色調が変化している。その際、スピーカー１２４から日本語の音声ガイダンスが出力されることとなる。
【００３２】
図５は、大型タッチパネル１１６に表示される操作画面の構成例を示す図である。図５（ａ）は、標準文字サイズで英語表示された場合の構成例、図５（ｂ）は、拡大文字サイズで英語表示された場合の構成例、図５（ｃ）は、標準文字サイズで日本語表示された場合の構成例を示している。なお、図５においては、アドレス帳画面の構成例を示している。図５（ａ）及び図５（ｂ）は、同一のアドレス内容を示すが、図５（ｃ）はそれらと異なるアドレス内容について示している。
【００３３】
かかる操作画面の構成は、パネル制御部１１５が作業用ワーク１２１に格納された個人情報テーブルデータに応じて変更される。表示文字ポイント数を変更する際には、表示文字ポイント数情報テーブルから選択された表示文字ポイント数に応じて画面構成を変更するようにしてもよいし、あるいは、標準文字サイズを保持しておき、表示文字ポイント数情報テーブルから選択された表示文字ポイント数に応じて当該文字サイズを拡大するようにしてもよい。
【００３４】
次に、本実施の形態に係る複合機１００に対してユーザーがオペレーションを指示する場合の動作について図６及び図７を用いて説明する。
【００３５】
本複合機１００に対してオペレーションを指示するユーザーがメモリカード２００を携帯して接近すると（Ｓ６０１）、ＲＦＩＤ制御部１１７によって検出される（Ｓ６０２）。例えば、従業員（ユーザー）が首から下げる等して携帯した社員証ホルダーに、本人の認識情報（ユーザーＩＤ）を書き込んだメモリカード２００を入れておく。メモリカード２００を携帯したユーザーがＲＦＩＤ制御部１１７の検出エリア（ここでは１ｍ程度であるとする）に入った時点でメモリカード２００のユーザーＩＤがＲＦＩＤ制御部１１７にて読み取られる。
【００３６】
ＲＦＩＤ制御部１１７は、メモリカード２００から読み取ったユーザーＩＤを作業用ワーク１２１へ格納する（Ｓ６０３）。複合機全体制御部１１０は、作業用ワーク１２１へ格納したユーザーＩＤを読み出し、ネットワークＩ／Ｆ部１１９経由で個人情報用サーバーＩ／Ｆ部１２０へ通知する（Ｓ６０４）。
【００３７】
後述するように、サーバー１０２としての個人情報用サーバーは、ユーザーＩＤを受け取ると当該ユーザーＩＤと一致するユーザーＩＤを登録しているユーザーの個人情報テーブルが登録されているか否かチェックして、登録有無情報を返信してくる。
【００３８】
個人情報用サーバーＩ／Ｆ部１２０は、この登録有無情報から個人情報用サーバーに当該ユーザーが登録されているか否か確認する（Ｓ６０５）。当該ユーザーの個人情報テーブルが登録されていなければ（Ｓ６０６の「ＮＯ」）、個人情報用サーバーＩ／Ｆ部１２０は、パネル制御部１１５に対して「未登録ユーザー検出通知」を出力する。パネル制御部１１５は「未登録ユーザー検出通知」を受け取ると大型タッチパネル１１６に機器使用不可である旨のメッセージを表示する（Ｓ６０７）。
【００３９】
一方、当該ユーザーの個人情報テーブルが登録されていた場合（Ｓ６０６の「ＹＥＳ」）、個人情報用サーバーＩ／Ｆ部１２０が個人情報用サーバーから検出ユーザーの個人情報テーブルデータを取り出し、作業用ワーク１２１へ格納する（Ｓ６０８）。
【００４０】
パネル制御部１１５は、作業用ワーク１２１へ格納した個人情報テーブルデータから検出ユーザーの名称を抽出し、大型タッチパネル１１６に機器使用可能である者として名称を表示する（Ｓ６０９）。例えば、個人情報テーブルの個人情報に登録されている名称が「松下太郎」であれば「松下太郎さんは認証されました」といった文字を表示する。このとき、大型タッチパネル１１６に表示される文字は、作業用ワーク１２１に格納された個人情報テーブルデータを反映したものでなく、予め設定された標準文字サイズで表示される。
【００４１】
複合機全体制御部１１０は、作業用ワーク１２１に格納された個人情報テーブルデータに従って大型タッチパネル１１６に表示される情報を決定し、パネル制御部１１５に通知する。具体的には、言語情報テーブルの内容から言語情報（Ｓ６１０）、表示文字ポイント数情報テーブルの内容からパネル表示文字サイズ（Ｓ６１１）及び色調情報テーブルからパネル表示色調（Ｓ６１２）を決定し、パネル制御部１１５に通知する。
【００４２】
次に、複合機全体制御部１１０は、作業用ワーク１２１に格納された個人情報テーブルデータに従って音声ガイダンスの指定の有無を確認する（Ｓ７０１）。音声ガイダンスの指定が有る場合には言語情報テーブルの内容から音声ガイダンス言語を決定し、音声制御部１２３に通知する（Ｓ７０２）。一方、音声ガイダンスの指定が無い場合にはＳ７０２の処理をスキップしてＳ７０３の処理を行う。以下においては、音声ガイダンスの指定が有る場合と無い場合とに分けて説明する。まず、音声ガイダンスの指定が無い場合について説明する。
【００４３】
音声ガイダンスの指定が無い場合、パネル制御部１１５は、Ｓ６１０〜Ｓ６１２における複合機全体制御部１１０からの通知のみを受ける。この通知に応じて大型タッチパネル１１６にメニュー画面を表示する（Ｓ７０３）。かかるメニュー画面は、当該登録ユーザーの個人情報テーブルデータに応じて文字表示で行われることとなる。すなわち、個人情報テーブル内の言語情報テーブル、表示文字ポイント数情報テーブル及び色調情報テーブルの内容を反映した文字表示によってメニュー画面が表示される。
【００４４】
メニュー画面には、本複合機１００に対する指示を入力する各種ファンクションボタンが表示されている。このメニュー画面が大型タッチパネル１１６に表示された後、ユーザーがオペレーションを開始するので、大型タッチパネル１１６を介してパネル制御部１１５がこれを検出する（Ｓ７０４）。オペレーション開始を検出したならば、ジョブ制御部１２２は、指示された機能が提供するジョブをスタートする（Ｓ７０５）。そして、当該ジョブが完了したならば、処理を終了する。
【００４５】
一方、音声ガイダンスの指定が有る場合であっても、基本的な処理は音声ガイダンスの指定が無い場合と同様である。しかし、Ｓ７０３〜Ｓ７０５の処理を行った後、音声制御部１２３がその処理に応じて音声ガイダンスを、スピーカー１２４を通じて出力する（Ｓ７０６〜Ｓ７０８）。このとき、音声制御部１２３は、Ｓ７０２における複合機全体制御部１１０からの通知に応じた音声ガイダンスを出力する。すなわち、個人情報テーブル内の言語情報テーブルの内容を反映した音声ガイダンスがスピーカー１２４から出力される。
【００４６】
図８は、本実施の形態に係る複合機１００にＬＡＮ１０１を介して接続されるサーバー１０２の機能ブロック図である。同図に示すサーバー１０２は、装置全体の制御を行うＣＰＵ３０１を備える。メモリ３０２は、ＣＰＵ３０１が読み込んで装置全体を制御する際に用いる制御プログラムを格納すると共に、ＣＰＵ３０１のワークメモリとしての機能を有する。ハードディスク（ＨＤ）３０３は、本実施の形態に係る複合機１００に対して配信する情報を記憶する。例えば、本サーバー１０２が個人情報用サーバーとして機能する場合には、上述の個人情報テーブルが登録ユーザー毎に記憶される。ＷＥＢサーバーとして機能する場合には、本複合機１００に対するメニューやそれに関連付けられたジョブ郡が記憶される。ネットワークＩ／Ｆ部３０４は、ＬＡＮ１０１とのインターフェース部分である。
【００４７】
上記構成を有するサーバー１０２が個人認証用サーバーとして機能する場合の動作について図９を用いて説明する。
【００４８】
個人認証用サーバーとしてのサーバー１０２は、待機状態において、本実施の形態の複合機１００からの各種情報の受信を監視している。具体的には、認識情報（ユーザーＩＤ）の受信（Ｓ９０１）、テーブル情報の読出し要求の受信（Ｓ９０２）及びその他の情報の受信（Ｓ９０３）を監視している。
【００４９】
各種情報の受信を監視する中、Ｓ９０１において認識情報を受信したならば、ＨＤ３０３に記憶された個人情報テーブルから当該登録ユーザーのテーブル情報を検索する（Ｓ９０４）。これにより、受信した認識情報が個人情報テーブルに登録されているか否かが判断される。そして、その検索結果、すなわち、認識情報の登録の有無をアクセスしてきた複合機１００に対して送信する（Ｓ９０５）。
【００５０】
一方、Ｓ９０２においてテーブル情報の読出し要求を受信したならば、ＨＤ３０３に記憶された個人情報テーブルから当該登録ユーザーのテーブル情報を取り出す（Ｓ９０６）。これにより、先に受信した認識情報に対応付けられた登録ユーザーのテーブル情報が取り出される。そして、そのテーブル情報をアクセスしてきた複合機１００に対して送信する（Ｓ９０７）。
【００５１】
また、Ｓ９０３においてその他の情報を受信したならば、当該情報に対応した該当処理を行う（Ｓ９０８）。Ｓ９０５、Ｓ９０７及びＳ９０８において各種処理を完了したならば、サーバー１０２は処理を終了する。このようにサーバー１０２は、本複合機１００から受信した各種情報に応じて処理を決定し、当該処理を実行する。
【００５２】
このように本実施の形態の複合機１００によれば、メモリカード２００から読み取った認識情報に基づいて認証したユーザーについて予め設定された出力形式情報(個人情報テーブルデータ)にしたがって大型タッチパネル１１６に表示する操作画面の表示形式を切り替える。これにより、個々の登録ユーザーに合わせて大型タッチパネル１１６に表示する画面の言語形式、表示ポイント数等の出力形式を柔軟に切り替えることができる。
【００５３】
特に、本実施の形態に係る複合機１００においては、個人情報テーブルデータに含まれた言語の表現形式に応じて表示言語を切り替えるので、個々の登録ユーザーに合わせて表示言語を柔軟に切り替えることができる。
【００５４】
また、個人情報テーブルデータに含まれた表示ポイント数に応じて表示ポイント数を切り替えるので、個々の登録ユーザーに合わせて表示ポイント数を柔軟に切り替えることができる。さらに、個人情報テーブルデータに含まれたパネル表示色調に応じて大型タッチパネル１１６上の表示色調を切り替えるので、個々の登録ユーザーに合わせてパネル表示色調を柔軟に切り替えることができる。さらに、個人情報テーブルデータに含まれた言語形式に応じて音声言語を切り替えるので、個々の登録ユーザーに合わせてスピーカー１２４から出力される音声ガイダンスの音声言語を柔軟に切り替えることができる。
【００５５】
なお、本実施の形態においては、個人情報用サーバーとして機能するサーバー１０２に個人情報や言語情報テーブルなどの出力形式情報を登録しておき、本複合機１００でこの個人情報等を読み出して作業用ワーク１２１に格納する場合について説明している。これによれば、本複合機１００上に個人情報テーブルを登録しておく必要がないので、大容量のメモリを用意することなく大型タッチパネル１１６の表示を柔軟に切り替えることができる。しかし、これに限定されず、複合機１００に大容量のハードディスク装置等の記憶装置を設け、その記憶装置等に個人情報等を登録し、読み出すようにしてもよい。このように変更した場合には、装置本体のみにより大型タッチパネル１１６の表示を柔軟に切り替えることができる。
【産業上の利用可能性】
【００５６】
本発明に係る複合機によれば、個々の登録ユーザーに合わせてパネル部に表示する画面の言語形式、表示ポイント数等の出力形式を柔軟に切り替えることができ、任意のユーザーの操作性に優れた複合機を提供することができる点で有用である。
【図面の簡単な説明】
【００５７】
【図１】本実施の形態に係る複合機の機能ブロック図
【図２】上記実施の形態に係る複合機により読み書きされるメモリカードの登録情報を示す図
【図３】上記実施の形態に係る複合機に接続されるサーバー（個人情報用サーバー）に登録している個人情報テーブルのデータ構造を示す図
【図４】上記実施の形態に係る複合機において、特定のユーザー向けに適用された個人情報テーブルの構成例を示す図
【図５】上記実施の形態に係る複合機の大型タッチパネルに表示される操作画面の構成例を示す図
【図６】上記実施の形態に係る複合機に対してユーザーがオペレーションを指示する場合の動作について説明するためのフロー図
【図７】上記実施の形態に係る複合機に対してユーザーがオペレーションを指示する場合の動作について説明するためのフロー図
【図８】上記実施の形態に係る複合機に接続されるサーバーの機能ブロック図
【図９】上記実施の形態に係る複合機に接続される個人認証用サーバーの動作を説明するためのフロー図
【符号の説明】
【００５８】
１００  複合機
１０２  サーバー
１１０  複合機全体制御部
１１７  ＲＦＩＤ制御部
１１８  個人情報制御部
１１９  ネットワークＩ／Ｆ部
１２０  個人情報用サーバーＩ／Ｆ部
１２１  作業用ワーク
１２２  ジョブ制御部
２００  メモリカード
３０１  ＣＰＵ
３０２  メモリ
３０３  ハードディスク（ＨＤ）
３０４  ネットワークＩ／Ｆ部
【図１】
2005244489.tif 000003
【図２】
2005244489.tif 000004
【図３】
2005244489.tif 000005
【図４】
2005244489.tif 000006
【図５】
2005244489.tif 000007
【図６】
2005244489.tif 000008
【図７】
2005244489.tif 000009
【図８】
2005244489.tif 000010
【図９】
2005244489.tif 000011